(57)【要約】      （修正有）【課題】最初に納豆容器の蓋を開けた形態で納豆容器の容器本体の収納部に収納されている醤油たれ、からしなどの調味材収納袋、シートを収納部から取り出すときに手間がかからないようにした納豆容器を提供する。【解決手段】凹の部分７と不連続な略水平な部分を設けた凸の部分３の外側の部分がはめ合い、該凹の部分７を容器本体６の収納部８の略縁部に設けて、該凸の部分３を蓋２に設けて、シート１０を該凸の部分３に不連続に一体化して、該蓋２の裏面、該凸の部分３、該シート１０で収納部５を形成した構成。【選択図】図３
2013035585.tif 000002
【特許請求の範囲】
【請求項１】
凹の部分と不連続な略水平な部分を設けた凸の部分の外側の部分がはめ合い、該凹の部分を容器本体の収納部の略縁部に設けて、該凸の部分を蓋に設けて、シートを該凸の部分に不連続に一体化して、該蓋の裏面、該凸の部分、該シートで収納部を形成したことを特徴とする納豆容器。
【発明の詳細な説明】
【技術分野】
【０００１】
本発明は納豆容器に係る。
【背景技術】
【０００２】
特許文献１においては書類より蓋体の上面側の凹部に醤油タレや芥子等の調味材収納袋を収容しておくことができるというところで本発明と目的を異にし、又、書類より本発明と構成を異にする。
【０００３】
特許文献２においては書類より本発明と目的を異にし、又、書類より凹の部分と不連続な略水平な部分を設けた凸の部分の外側の部分がはめ合い、前記凹の部分を容器本体の収納部の略縁部に設けて、前記凸の部分を蓋に設けて、シートを前記凸の部分に不連続に一体化して、前記蓋の裏面、前記凸の部分、前記シートで収納部を形成したことが明確ではないというところで本発明と構成を異にする。
【先行技術文献】
【特許文献】
【０００４】
【特許文献１】特開２０１０−１７９９３４号公報
【特許文献２】実登３１４００４１号公報
【発明の概要】
【発明が解決しようとする課題】
【０００５】
最初に納豆容器の蓋を開けた形態で前記納豆容器の容器本体の収納部に収納されている醤油たれ、からしなどの調味材収納袋、シートを前記収納部から取り出して、前記取り出した後に前記収納部に収納されている納豆を調理して摂取する。しかし、前記開けたときに、上から順に醤油たれ、からしなどの調味材収納袋、前記シート、納豆が前記収納部に収納されているため、前記調理して摂取することに手間がかかるという短所があった。
【課題を解決するための手段】
【０００６】
凹の部分と不連続な略水平な部分を設けた凸の部分の外側の部分がはめ合い、該凹の部分を容器本体の収納部の略縁部に設けて、該凸の部分を蓋に設けて、シートを該凸の部分に不連続に一体化して、該蓋の裏面、該凸の部分、該シートで収納部を形成したことを特徴とする。
【発明の効果】
【０００７】
本発明は、凹の部分と不連続な略水平な部分を設けた凸の部分の外側の部分がはめ合い、該凹の部分を容器本体の収納部の略縁部に設けて、該凸の部分を蓋に設けて、シートを該凸の部分に不連続に一体化して、該蓋の裏面、該凸の部分、該シートで収納部を形成したことで、最初に該蓋を開けたときに、醤油たれ、からしなどの調味材収納袋を収納して有る該収納部が納豆を収納して有る該収納部から離れて、前記離れた後に前記一体化した部分をめくって、前記めくった後に醤油たれ、からしなどの調味材収納袋を該収納部から取り出して、前記取り出した後に該収納部に収納して有る納豆を調理して摂取することができる。これにより、醤油たれ、からしなどの調味材収納袋、該シートを納豆を収納して有る該収納部から取り出す手間を省くことができる。更に、前記形成したことで、前記開ける前の該蓋が閉じている形態の納豆容器において、醤油たれ、からしなどの調味材収納袋、該シートが前記収納して有る納豆から離れているため、醤油たれ、からしなどの調味材収納袋、該シートが前記収納して有る納豆によって粘着力を有することがない。又、前記形成したことで、該シートを該凸の部分に一体化する部分を削減することができる。
【０００８】
又、本発明は低コストで実現することができるため、材料費のコストダウンを図ることができる。
【図面の簡単な説明】
【０００９】
【図１】本発明の実施例の納豆容器の外観図
【図２】図１の本発明の実施例の納豆容器のＡ−Ａ断面図
【図３】蓋を開けた形態の図１の本発明の実施例の納豆容器の外観図
【図４】図３の本発明の実施例の納豆容器のＢ−Ｂ断面図
【図５】従来の納豆容器の外観図
【図６】図５の従来の納豆容器のＣ−Ｃ断面図
【図７】蓋を開けた形態の図５の従来の納豆容器の外観図
【図８】図７の従来の納豆容器のＤ−Ｄ断面図
【発明を実施するための形態】
【００１０】
本発明を実施するための形態を各図を参照して説明する。
本発明は、凹の部分７と不連続な略水平な部分４を設けた凸の部分３の外側の部分がはめ合い、該凹の部分７を容器本体６の収納部８の略縁部に設けて、該凸の部分３を蓋２に設けて、シート１０を該凸の部分３に不連続に一体化して、該蓋２の裏面、該凸の部分３、該シート１０で収納部５を形成した納豆容器である。本発明の素材は合成樹脂が挙げられる。しかし、本発明の素材は本発明を実施することができれば特定の素材に限定しない。又、本発明の素材は透明な素材を含む。又、凹の部分７を収納部８の略縁部に設ける手段は凹の部分７において、湾曲した部分を設ける場合、延在する略水平な部分を設けた湾曲した部分と湾曲した部分を交互に設ける場合、延在する略水平な部分を設けた湾曲した部分と湾曲した部分を交互に設けない場合のように本発明を実施することができれば全て含む。又、略水平な部分４を凸の部分３に設ける手段は凸の部分３において、略水平な部分４と湾曲した部分を交互に設ける場合、略水平な部分４と湾曲した部分を交互に設けない場合のように本発明を実施することができれば全て含む。又、該凸の部分３とは最初に該蓋２を開ける前の該蓋２が閉じている形態の前記納豆容器、後記納豆容器において、該収納部８に収納して有る納豆側に向いた凸の部分をいう。又、該シート１０、該蓋２のうちの一方あるいは両方に通気のための細孔などの通気手段を設けてもよい。又、前記一体化する手段、後記一体化する手段はヒートシール法による接着のように本発明を実施することができれば全て含む。又、該蓋２の裏面とは前記閉じている形態の前記納豆容器、後記納豆容器において、前記収納して有る納豆側の該蓋２の面をいう。又、該凸の部分３を含む該蓋２、該容器本体６、該シート１０は該凸の部分３を含む該蓋２を外蓋、該容器本体６をカップ状容器、該シート１０を内蓋にそれぞれ置き換えて、前記外蓋と前記内蓋を不連続に一体化して、収納部を前記外蓋と前記内蓋の間に形成した形態で前記一体化した蓋を前記カップ状容器のフランジ部に一体化する場合を含む。
【実施例】
【００１１】
本発明の実施例においては図１〜図４、図６（図６は例外的に本発明の実施例として扱う）に示すように延在する不連続な略水平な部分４を設けた凹の部分７と不連続な略水平な部分４を設けた凸の部分３の外側の部分がはめ合い、該凹の部分７を容器本体６の収納部８の略縁部に設けて、該凸の部分３を蓋２に設けて、シート１０を該凸の部分３に不連続に一体化して、該蓋２の裏面、該凸の部分３、該シート１０で収納部５を形成した納豆容器に係る。又、本発明の実施例においては図においては醤油たれ、からしなどの調味材収納袋、納豆などは省略する。又、本発明の実施例においてはシート１０を略水平な部分４に一体化した部分を前記一体化した部分１１とする。又、本発明の実施例の納豆容器を納豆容器１とする。
【００１２】
図５〜図８に示す従来の納豆容器においては最初に図７、図８に示す納豆容器の蓋２を開けた形態で該納豆容器の容器本体６の収納部８に収納されている醤油たれ、からしなどの調味材収納袋、シート１０を該収納部８から取り出して、前記取り出した後に該収納部８に収納されている納豆を調理して摂取する。しかし、前記開けたときに、上から順に醤油たれ、からしなどの調味材収納袋、該シート１０、納豆が該収納部８に収納されているため、前記調理して摂取することに手間がかかる。
【００１３】
しかし、本発明の実施例においては図１〜図４、図６（図６は例外的に本発明の実施例として扱う）に示すように延在する不連続な略水平な部分４を設けた凹の部分７と不連続な略水平な部分４を設けた凸の部分３の外側の部分がはめ合い、該凹の部分７を容器本体６の収納部８の略縁部に設けて、該凸の部分３を蓋２に設けて、シート１０を該凸の部分３に不連続に一体化して、該蓋２の裏面、該凸の部分３、該シート１０で収納部５を形成したことで、最初に図３、図４に示すように該蓋２を開けたときに、醤油たれ、からしなどの調味材収納袋を収納して有る該収納部５が納豆を収納して有る該収納部８から離れて、前記離れた後に前記一体化した部分１１をめくって、前記めくった後に醤油たれ、からしなどの調味材収納袋を該収納部５から取り出して、前記取り出した後に該収納部８に収納して有る納豆を調理して摂取することができる。これにより、醤油たれ、からしなどの調味材収納袋、該シート１０を納豆を収納して有る該収納部８から取り出す手間を省くことができる。更に、前記形成したことで、前記開ける前の該蓋２が閉じている形態の納豆容器１において、図６と異なり、図２に示すように醤油たれ、からしなどの調味材収納袋、該シート１０が前記収納して有る納豆から離れているため、醤油たれ、からしなどの調味材収納袋、該シート１０が前記収納して有る納豆によって粘着力を有することがない。又、前記形成したことで、該シート１０を該凸の部分３に一体化する部分を削減することができる。
【００１４】
又、本発明の実施例は低コストで実現することができるため、材料費のコストダウンを図ることができる。
【産業上の利用可能性】
【００１５】
本発明は、使い勝手がよい構成を低コストで実現することができるため、市場における拡販及び利便性の向上を期待することができる。
【符号の説明】
【００１６】
１    納豆容器
２    蓋
３    凸の部分
４    略水平な部分
５    収納部
６    容器本体
７    凹の部分
８    収納部
９    ヒンジ部
１０  シート
１１  一体化した部分
【図１】
2013035585.tif 000003
【図２】
2013035585.tif 000004
【図３】
2013035585.tif 000005
【図４】
2013035585.tif 000006
【図５】
2013035585.tif 000007
【図６】
2013035585.tif 000008
【図７】
2013035585.tif 000009
【図８】
2013035585.tif 000010
【手続補正書】
【提出日】平成23年11月11日(2011.11.11)
【手続補正１】
【補正対象書類名】明細書
【補正対象項目名】全文
【補正方法】変更
【補正の内容】
【発明の詳細な説明】
【技術分野】
【０００１】
本発明は納豆容器に係る。
【背景技術】
【０００２】
特許文献１においては書類より蓋体の上面側の凹部に醤油タレや芥子等の調味材収納袋を収容しておくことができるというところで本発明と目的を異にし、又、書類より本発明と構成を異にする。
【０００３】
特許文献２においては書類より本発明と目的を異にし、又、書類より凹の部分と略水平な部分と略水平ではない部分を先端部に設けた凸の部分の外側の部分がはめ合い、前記凹の部分を容器本体の収納部の略縁部に設けて、前記凸の部分を蓋に設けて、シートを前記凸の部分の前記略水平な部分のみに一体化して、前記蓋の裏面、前記凸の部分、前記シートで収納部を形成したことが明確ではないというところで本発明と構成を異にする。
【先行技術文献】
【特許文献】
【０００４】
【特許文献１】特開２０１０−１７９９３４号公報
【特許文献２】実登３１４００４１号公報
【発明の概要】
【発明が解決しようとする課題】
【０００５】
最初に納豆容器の蓋を開けた形態で前記納豆容器の容器本体の収納部に収納されている醤油たれ、からしなどの調味材収納袋、シートを前記収納部から取り出して、前記取り出した後に前記収納部に収納されている納豆を調理して摂取する。しかし、前記開けたときに、上から順に醤油たれ、からしなどの調味材収納袋、前記シート、納豆が前記収納部に収納されているため、前記調理して摂取することに手間がかかるという短所があった。
【課題を解決するための手段】
【０００６】
凹の部分と略水平な部分と略水平ではない部分を先端部に設けた凸の部分の外側の部分がはめ合い、該凹の部分を容器本体の収納部の略縁部に設けて、該凸の部分を蓋に設けて、シートを該凸の部分の該略水平な部分のみに一体化して、該蓋の裏面、該凸の部分、該シートで収納部を形成したことを特徴とする。
【発明の効果】
【０００７】
本発明は、凹の部分と略水平な部分と略水平ではない部分を先端部に設けた凸の部分の外側の部分がはめ合い、該凹の部分を容器本体の収納部の略縁部に設けて、該凸の部分を蓋に設けて、シートを該凸の部分の該略水平な部分のみに一体化して、該蓋の裏面、該凸の部分、該シートで収納部を形成したことで、最初に該蓋を開けたときに、醤油たれ、からしなどの調味材収納袋を収納して有る該収納部が納豆を収納して有る該収納部から離れて、前記離れた後に前記一体化した部分をめくって、前記めくった後に醤油たれ、からしなどの調味材収納袋を該収納部から取り出して、前記取り出した後に該収納部に収納して有る納豆を調理して摂取することができる。これにより、醤油たれ、からしなどの調味材収納袋、該シートを納豆を収納して有る該収納部から取り出す手間を省くことができる。更に、前記形成したことで、前記開ける前の該蓋が閉じている形態の納豆容器において、醤油たれ、からしなどの調味材収納袋、該シートが前記収納して有る納豆から離れているため、醤油たれ、からしなどの調味材収納袋、該シートが前記収納して有る納豆によって粘着力を有することがない。又、前記形成したことで、該シートを該凸の部分に一体化する部分を削減することができる。
【０００８】
又、本発明は低コストで実現することができるため、材料費のコストダウンを図ることができる。
【図面の簡単な説明】
【０００９】
【図１】本発明の実施例の納豆容器の外観図
【図２】図１の本発明の実施例の納豆容器のＡ−Ａ断面図
【図３】蓋を開けた形態の図１の本発明の実施例の納豆容器の外観図
【図４】図３の本発明の実施例の納豆容器のＢ−Ｂ断面図
【図５】従来の納豆容器の外観図
【図６】図５の従来の納豆容器のＣ−Ｃ断面図
【図７】蓋を開けた形態の図５の従来の納豆容器の外観図
【図８】図７の従来の納豆容器のＤ−Ｄ断面図
【発明を実施するための形態】
【００１０】
本発明を実施するための形態を各図を参照して説明する。
本発明は、凹の部分７と略水平な部分４と略水平ではない部分を先端部に設けた凸の部分３の外側の部分がはめ合い、該凹の部分７を容器本体６の収納部８の略縁部に設けて、該凸の部分３を蓋２に設けて、シート１０を該凸の部分３の該略水平な部分４のみに一体化して、該蓋２の裏面、該凸の部分３、該シート１０で収納部５を形成した納豆容器である。本発明の素材は合成樹脂が挙げられる。しかし、本発明の素材は本発明を実施することができれば特定の素材に限定しない。又、本発明の素材は透明な素材を含む。又、凹の部分７を収納部８の略縁部に設ける手段は凹の部分７において、湾曲した部分を設ける場合、延在する略水平な部分を設けた湾曲した部分と湾曲した部分を交互に設ける場合、延在する略水平な部分を設けた湾曲した部分と湾曲した部分を交互に設けない場合のように本発明を実施することができれば全て含む。又、略水平な部分４を凸の部分３に設ける手段は凸の部分３において、略水平な部分４と湾曲した部分を交互に設ける場合、略水平な部分４と湾曲した部分を交互に設けない場合のように本発明を実施することができれば全て含む。又、該凸の部分３とは最初に該蓋２を開ける前の該蓋２が閉じている形態の前記納豆容器、後記納豆容器において、該収納部８に収納して有る納豆側に向いた凸の部分をいう。又、該シート１０、該蓋２のうちの一方あるいは両方に通気のための細孔などの通気手段を設けてもよい。又、前記一体化する手段、後記一体化する手段はヒートシール法による接着のように本発明を実施することができれば全て含む。又、該蓋２の裏面とは前記閉じている形態の前記納豆容器、後記納豆容器において、前記収納して有る納豆側の該蓋２の面をいう。又、該凸の部分３を含む該蓋２、該容器本体６、該シート１０は該凸の部分３を含む該蓋２を外蓋、該容器本体６をカップ状容器、該シート１０を内蓋にそれぞれ置き換えて、前記外蓋と前記内蓋を不連続に一体化して、収納部を前記外蓋と前記内蓋の間に形成した形態で前記一体化した蓋を前記カップ状容器のフランジ部に一体化する場合を含む。
【実施例】
【００１１】
本発明の実施例においては図１〜図４、図６（図６は例外的に本発明の実施例として扱う）に示すように延在する略水平な部分４を設けた凹の部分７と略水平な部分４と略水平ではない部分を先端部に設けた凸の部分３の外側の部分がはめ合い、該凹の部分７を容器本体６の収納部８の略縁部に設けて、該凸の部分３を蓋２に設けて、シート１０を該凸の部分３の該略水平な部分４のみに一体化して、該蓋２の裏面、該凸の部分３、該シート１０で収納部５を形成した納豆容器に係る。又、本発明の実施例においては図においては醤油たれ、からしなどの調味材収納袋、納豆などは省略する。又、本発明の実施例においてはシート１０を略水平な部分４に一体化した部分を前記一体化した部分１１とする。又、本発明の実施例の納豆容器を納豆容器１とする。
【００１２】
図５〜図８に示す従来の納豆容器においては最初に図７、図８に示す納豆容器の蓋２を開けた形態で該納豆容器の容器本体６の収納部８に収納されている醤油たれ、からしなどの調味材収納袋、シート１０を該収納部８から取り出して、前記取り出した後に該収納部８に収納されている納豆を調理して摂取する。しかし、前記開けたときに、上から順に醤油たれ、からしなどの調味材収納袋、該シート１０、納豆が該収納部８に収納されているため、前記調理して摂取することに手間がかかる。
【００１３】
しかし、本発明の実施例においては図１〜図４、図６（図６は例外的に本発明の実施例として扱う）に示すように延在する略水平な部分４を設けた凹の部分７と略水平な部分４と略水平ではない部分を先端部に設けた凸の部分３の外側の部分がはめ合い、該凹の部分７を容器本体６の収納部８の略縁部に設けて、該凸の部分３を蓋２に設けて、シート１０を該凸の部分３の該略水平な部分４のみに一体化して、該蓋２の裏面、該凸の部分３、該シート１０で収納部５を形成したことで、最初に図３、図４に示すように該蓋２を開けたときに、醤油たれ、からしなどの調味材収納袋を収納して有る該収納部５が納豆を収納して有る該収納部８から離れて、前記離れた後に前記一体化した部分１１をめくって、前記めくった後に醤油たれ、からしなどの調味材収納袋を該収納部５から取り出して、前記取り出した後に該収納部８に収納して有る納豆を調理して摂取することができる。これにより、醤油たれ、からしなどの調味材収納袋、該シート１０を納豆を収納して有る該収納部８から取り出す手間を省くことができる。更に、前記形成したことで、前記開ける前の該蓋２が閉じている形態の納豆容器１において、図６と異なり、図２に示すように醤油たれ、からしなどの調味材収納袋、該シート１０が前記収納して有る納豆から離れているため、醤油たれ、からしなどの調味材収納袋、該シート１０が前記収納して有る納豆によって粘着力を有することがない。又、前記形成したことで、該シート１０を該凸の部分３に一体化する部分を削減することができる。
【００１４】
又、本発明の実施例は低コストで実現することができるため、材料費のコストダウンを図ることができる。
【産業上の利用可能性】
【００１５】
本発明は、使い勝手がよい構成を低コストで実現することができるため、市場における拡販及び利便性の向上を期待することができる。
【符号の説明】
【００１６】
１    納豆容器
２    蓋
３    凸の部分
４    略水平な部分
５    収納部
６    容器本体
７    凹の部分
８    収納部
９    ヒンジ部
１０  シート
１１  一体化した部分
【手続補正２】
【補正対象書類名】特許請求の範囲
【補正対象項目名】全文
【補正方法】変更
【補正の内容】
【特許請求の範囲】
【請求項１】
凹の部分と略水平な部分と略水平ではない部分を先端部に設けた凸の部分の外側の部分がはめ合い、該凹の部分を容器本体の収納部の略縁部に設けて、該凸の部分を蓋に設けて、シートを該凸の部分の該略水平な部分のみに一体化して、該蓋の裏面、該凸の部分、該シートで収納部を形成したことを特徴とする納豆容器。